(57)【特許請求の範囲】
【請求項１】
家庭アドレス可能メディアネットワーク内のトランザクションを最適化するためのシステムであって、
プロセッサと、
前記プロセッサと作動可能に通信する持続性コンピュータ可読ストレージ媒体と、
を含み、
前記コンピュータ可読ストレージ媒体は、実行された時にプロセッサをして、
複数の視聴者セグメントを含む前記メディアネットワークの視聴者に関連付けられた過去のトランザクション情報及び潜在的トランザクション情報を含むトランザクション情報を受信させ、
少なくとも１つのメディアコンテンツ要素に関連付けられたメディアコンテンツ情報を受信させ、
前記過去のトランザクション情報に基づいて少なくとも一つのメディアコンテンツ要素を販売するためのモデルを発生させ、
前記モデルを使用して前記潜在的トランザクション情報及び前記メディアコンテンツ情報に基づく前記複数の視聴者セグメントのうちの少なくとも１つの模擬販売を通して潜在的販売情報を発生させ、かつ
前記潜在的販売情報に基づいて前記少なくとも１つのメディアコンテンツ要素に対して前記複数の視聴者セグメントを販売するための最適化トランザクション戦略を発生させる、
１つ又はそれよりも多くのプログラミング命令を収容する、
ことを特徴とするシステム。
【請求項２】
前記過去のトランザクション情報は、供給、要求、価格設定、及びメディアコンテンツ要素のうちの少なくとも１つを含むことを特徴とする請求項１に記載のシステム。
【請求項３】
潜在的トランザクション情報が、供給、要求、及び価格設定のうちの少なくとも１つのための計画された情報を含むことを特徴とする請求項１に記載のシステム。
【請求項４】
前記メディアコンテンツ要素は、少なくとも１つの広告を含むことを特徴とする請求項１に記載のシステム。
【請求項５】
前記視聴者セグメントは、前記視聴者の人口統計情報に基づいてセグメント化されることを特徴とする請求項１に記載のシステム。
【請求項６】
前記模擬販売は、エージェントベースの計算経済学シミュレーションに従って構成されることを特徴とする請求項１に記載のシステム。
【請求項７】
前記エージェントベースの計算経済学シミュレーションのエージェントが、前記視聴者の購入者及び販売者をモデル化するように構成されることを特徴とする請求項６に記載のシステム。
【請求項８】
前記最適化トランザクション戦略は、収入収益を最適化するように構成されることを特徴とする請求項１に記載のシステム。
【請求項９】
家庭アドレス可能メディアネットワーク内のトランザクションを最適化するコンピュータ実施式方法であって、
プロセッサによる、
複数の視聴者セグメントを含む前記メディアネットワークの視聴者に関連付けられた過去のトランザクション情報及び潜在的トランザクション情報を含むトランザクション情報を受信する段階と、
少なくとも１つの広告に関連付けられた広告情報を受信する段階と、
前記過去のトランザクション情報に基づいて少なくとも一つのメディアコンテンツ要素を販売するためのモデルを発生させる段階と、
前記モデルを使用して前記潜在的トランザクション情報及び前記広告情報に基づく前記複数の視聴者セグメントのうちの少なくとも１つの模擬販売を通して潜在的販売情報を発生させる段階と、
前記潜在的販売情報に基づいて前記少なくとも１つの広告に対して前記複数の視聴者セグメントを販売するための最適化トランザクション戦略を発生させる段階と、
を含むことを特徴とする方法。
【請求項１０】
前記過去のトランザクション情報は、供給、要求、価格設定、及びメディアコンテンツ要素のうちの少なくとも１つを含むことを特徴とする請求項９に記載の方法。
【請求項１１】
潜在的トランザクション情報が、供給、要求、及び価格設定のうちの少なくとも１つのための計画された情報を含むことを特徴とする請求項９に記載の方法。
【請求項１２】
前記メディアコンテンツ要素は、少なくとも１つの広告を含むことを特徴とする請求項９に記載の方法。
【請求項１３】
前記視聴者セグメントは、前記視聴者の人口統計情報に基づいてセグメント化されることを特徴とする請求項９に記載の方法。
【請求項１４】
前記模擬販売は、エージェントベースの計算経済学シミュレーションに従って構成されることを特徴とする請求項９に記載の方法。
【請求項１５】
前記エージェントベースの計算経済学シミュレーションのエージェントが、前記視聴者の購入者及び販売者をモデル化するように構成されることを特徴とする請求項１４に記載の方法。
【請求項１６】
前記最適化トランザクション戦略は、収入収益を最適化するように構成されることを特徴とする請求項９に記載の方法。
【請求項１７】
コンピュータ可読ストレージ媒体であって、
それと共に具現化された家庭アドレス可能メディアネットワーク内のトランザクションを最適化するように構成されたコンピュータ可読プログラムコード、
を有し、
前記コンピュータ可読プログラムコードは、
複数の視聴者セグメントを含む前記メディアネットワークの視聴者に関連付けられた過去のトランザクション情報及び潜在的トランザクション情報を含むトランザクション情報を受信するように構成されたコンピュータ可読プログラムコードと、
少なくとも１つの広告に関連付けられた広告情報を受信するように構成されたコンピュータ可読プログラムコードと、
前記過去のトランザクション情報に基づいて少なくとも一つのメディアコンテンツ要素を販売するためのモデルを発生させるように構成されたコンピュータ可読プログラムコードと、
前記モデルを使用して前記潜在的トランザクション情報及び前記広告情報に基づく前記複数の視聴者セグメントのうちの少なくとも１つの模擬販売を通して潜在的販売情報を発生させるように構成されたコンピュータ可読プログラムコードと、
前記潜在的販売情報に基づいて前記少なくとも１つの広告に対して前記複数の視聴者セグメントを販売するための最適化トランザクション戦略を発生させるように構成されたコンピュータプログラムコードと、
を含む、
ことを特徴とするコンピュータ可読ストレージ媒体。
【請求項１８】
エージェントベースの計算経済学シミュレーションに従って前記模擬販売を実行するように構成されたコンピュータ可読プログラムコードを更に含むことを特徴とする請求項１７に記載のコンピュータ可読ストレージ媒体。
【請求項１９】
前記視聴者の購入者及び販売者をモデル化するように構成された前記エージェントベースの計算経済学シミュレーションのエージェントを使用して該視聴者の購入者及び販売者をモデル化するように構成されたコンピュータ可読プログラムコードを更に含むことを特徴とする請求項１８に記載のコンピュータ可読ストレージ媒体。
【請求項２０】
前記最適化トランザクション戦略を発生させて収入収益を最適化するように構成されたコンピュータ可読プログラムコードを更に含むことを特徴とする請求項１７に記載のコンピュータ可読ストレージ媒体。
【発明の詳細な説明】
【技術分野】
【０００１】
〔関連出願への相互参照〕
本出願は、その内容の全体が本明細書にあたかも完全に示されるように引用によって本明細書に組み込まれる２０１２年６月１９日出願の米国特許仮出願第６１／６６１，５９８号の利益を主張するものである。
【０００２】
説明する技術は、一般的に、メディアネットワーク内のメディアコンテンツトランザクションを最適化することに関し、より具体的には、過去及び／又は潜在的トランザクション情報に基づいてメディアコンテンツに対する視聴者セグメントを販売するための最適化戦略を決定するためのモデル及び／又はシミュレーションを開発することに関する。
【背景技術】
【０００３】
メディアネットワークは、コンテンツプロバイダに彼らのシステム上である一定のコンテンツをブロードキャストするためのオープニング又はスロットを販売することができる。一般的な例は、広告をブロードキャストする広告主にテレビジョンネットワーク上の時間を販売するケーブルテレビジョンネットワークである。メディアネットワークは、特定の時間スロットに対する要求のようなある一定の条件に基づいて異なる価格で異なる時間スロットを販売することができる。例えば、高い格付けを有するテレビ番組中の時間スロットは、より低い格付けを有するテレビ番組中の時間スロットよりも価値が高いことになる。従って、メディアネットワークは、格付けに基づく要求のような時間スロットに関連付けられた情報に基づいて時間スロットのコストを最大にする時間スロット価格設定戦略を使用して運用される。
【発明の概要】
【発明が解決しようとする課題】
【０００４】
家庭アドレス可能メディアネットワークでは、メディアネットワークオペレータは、ネットワーク視聴者の個々の家庭及び／又はセグメントに特定のコンテンツを提供することができる。従って、時間スロットを販売することに加えて、メディアネットワークは、視聴者の一部分をコンテンツプロバイダに販売することができる。しかし、セグメント化された視聴者に基づいてトランザクションを行うことに伴う危険性が存在する。例えば、メディアネットワークは、プレミアム価格で特定のセグメントを販売することができるが、残りのセグメントが売れない場合に、メディアネットワークは、視聴者全体がコンテンツプロバイダに販売された場合よりも収益の達成が少ない場合がある。現在の技術は、より多くの収益を発生させるのに特定のトランザクションに対して視聴者全体又は視聴者のセグメントを販売するか否かを決定するのに必要な情報をメディアネットワークオペレータに提供しない。従って、メディアネットワークオペレータが、メディアネットワーク視聴者及びそのセグメントを販売するための最適化された戦略を提供するように構成された情報を発生させることができれば有益であると考えられる。
【課題を解決するための手段】
【０００５】
この開示は、説明する特定のシステム、デバイス、及び方法を変更することができるのでそれらに制限されない。説明で使用される用語は、特定のバージョン又は実施形態を説明する目的のみであり、範囲を制限するように意図していない。
【０００６】
本文書で使用される単数形「ａ」、「ａｎ」、及び「ｔｈｅ」は、文脈がそれ以外を明確に示さない限り複数の引用を含む。他に定義されない限り、本明細書で使用する全ての技術的及び科学的用語は、当業者によって一般的に理解されるのと同じ意味を有する。本発明の開示のどれも、本発明の開示に説明する実施形態が以前の発明によるそのような開示に先行する資格を与えられないという承認として解釈されないものとする。本文書で使用される用語「ｃｏｍｐｒｉｓｉｎｇ」は、「限定ではないが含む」を意味する。
【０００７】
実施形態において、家庭アドレス可能メディアネットワーク内のトランザクションを最適化するためのシステムは、プロセッサと、プロセッサと作動可能に通信する持続性コンピュータ可読ストレージ媒体とを含むことができる。コンピュータ可読ストレージ媒体は、１つ又はそれよりも多くのプログラミング命令を収容することができ、それは、実行された時に、プロセッサをして複数の視聴者セグメントを含むメディアネットワークの視聴者に関連付けられた過去のトランザクション情報及び潜在的トランザクション情報を含むトランザクション情報を受信させ、少なくとも１つのメディアコンテンツ要素に関連付けられたメディアコンテンツ情報を受信させ、過去の情報に基づいて商品を販売するためのモデルを発生させ、モデルを使用して潜在的情報及びメディアコンテンツ情報に基づく複数の視聴者セグメントのうちの少なくとも１つの模擬販売を通して潜在的販売情報を発生させ、かつ潜在的販売情報に基づいて少なくとも１つのメディアコンテンツ要素に対して複数の視聴者セグメントを販売するための最適化トランザクション戦略を発生させる。
【０００８】
実施形態において、家庭アドレス可能メディアネットワーク内のトランザクションを最適化するコンピュータ実施式方法は、複数の視聴者セグメントを含むメディアネットワークの視聴者に関連付けられた過去のトランザクション情報及び潜在的トランザクション情報を含むトランザクション情報を受信する段階を含むことができる。本方法は、少なくとも１つの広告に関連付けられた広告情報を受信する段階と、過去の情報に基づいて商品を販売するためのモデルを発生させる段階と、モデルを使用して潜在的情報及び広告情報に基づく複数の視聴者セグメントのうちの少なくとも１つの模擬販売を通して潜在的販売情報を発生させる段階と、潜在的販売情報に基づいて少なくとも１つの広告に対して複数の視聴者セグメントを販売するための最適化トランザクション戦略を発生させる段階とを更に含むことができる。
【０００９】
実施形態において、コンピュータ可読ストレージ媒体は、それと共に具現化された家庭アドレス可能メディアネットワーク内のトランザクションを最適化するように構成されたコンピュータ可読プログラムコードを有する。コンピュータ可読プログラムコードは、複数の視聴者セグメントを含むメディアネットワークの視聴者に関連付けられた過去のトランザクション情報及び潜在的トランザクション情報を含むトランザクション情報を受信し、少なくとも１つの広告に関連付けられた広告情報を受信し、過去の情報に基づいて商品を販売するためのモデルを発生させ、モデルを使用して潜在的情報及び広告情報に基づく複数の視聴者セグメントのうちの少なくとも１つの模擬販売を通して潜在的販売情報を発生させ、かつ潜在的販売情報に基づいて少なくとも１つの広告に対して複数の視聴者セグメントを販売するための最適化トランザクション戦略を発生させるように構成されたコンピュータ可読プログラムコードを含む。
【００１０】
本発明の上述の及び他の目的は、添付の図面に関して行われる以下の詳細説明からより容易に明らかになるであろう。
【図面の簡単な説明】
【００１１】
【図１】一部の実施形態による例示的なメディアネットワークを示す図である。
【図２】一部の実施形態による例示的なトランザクション最適化システムを示す図である。
【図３】一部の実施形態による家庭アドレス可能メディアネットワーク内のトランザクションを最適化する例示的方法を示す流れ図である。
【図４】様々なコンピュータ処理及びシステムを収容又は実施するのに使用することができる例示的内部ハードウエアを示すブロック図である。
【発明を実施するための形態】
【００１２】
説明する技術は、メディアネットワーク内のメディアコンテンツのトランザクションを最適化することに向けられる。例えば、実施形態は、セグメントに分割された視聴者を含む家庭アドレス可能メディアネットワーク商品の販売を最適化するように構成することができる。家庭アドレス可能は、一般的に、メディアネットワーク内の１つ又はそれよりも多くの家庭及び／又は家庭セグメントをターゲットにしてコンテンツを配信する機能を示している。一部の実施形態によって、過去の市場トランザクション及び潜在的市場トランザクションを含むメディアネットワーク視聴者のトランザクション情報を取得することができる。トランザクション情報を使用して、メディアネットワーク内のメディアコンテンツの販売を表すように構成されたモデルを発生させることができる。一部の実施形態において、メディアコンテンツは、広告又は広告キャンペーンを含むことができる。モデルを使用して、最適化トランザクション戦略を決定するために視聴者全体及び／又は視聴者のセグメントの販売を模擬することができる。例えば、メディアコンテンツが視聴者全体又は視聴者のセグメント化部分に販売された場合に、収入収益のような１つ又はそれよりも多くのトランザクション値が最適化されるか否かを決定するようにシミュレーションを構成することができる。シミュレーションは、例えば、視聴者セグメントを販売するための最適価格設定戦略を決定するように構成することができる。
【００１３】
説明する技術は、複数の技術的利点を提供する。利点の非制限的な例は、シミュレーションが、メディアネットワークオペレータに既存の技術を使用して利用可能ではない視聴者をメディアコンテンツプロバイダに販売するための最適トランザクション決定を実行するのを可能にする。利点の別の非制限的な例は、メディアオペレータが、シミュレーションの結果を使用して既存の技術では提供できない視聴者及び／又は視聴者セグメントの最適価格設定を決定することができることである。技術的な利点は、取りわけ、メディアネットワークが視聴者セグメントベースで購入に興味のあるコンテンツプロバイダに対するネットワークの要求を増加させることを可能にする。
【００１４】
図１は、一部の実施形態による例示的なメディアネットワークを示している。図１に示すように、メディアネットワーク１００は、メディアコンテンツプロバイダ１０５を含むことができる。メディアコンテンツプロバイダ１０５の非制限的な例は、テレビジョンブロードキャストネットワーク、ケーブルテレビジョンネットワーク、衛星テレビジョンネットワーク、インターネットサービスプロバイダ（ＩＳＰ）、コンピュータデバイス広告ネットワーク、又はその組合せを含む。メディアコンテンツプロバイダ１０５は、メディアネットワーク１００の視聴者１１５と通信するように構成された１つ又はそれよりも多くのローカルコンテンツシステム１１０ａ−１１０ｎにコンテンツを送信することができる。ローカルコンテンツシステム１１０ａ−１１０ｎは、メディアコンテンツプロバイダ１０５から受信したメディアコンテンツを視聴者１１５の定義された部分に送信するように構成された機器及びシステムを含むことができる。ローカルコンテンツシステム１１０ａ−１１０ｎの例示的かつ非制限的な例は、ケーブルテレビジョンネットワークヘッドエンド、インターネットサービスプロバイダ基地局などを含む。
【００１５】
実施形態によって、メディアコンテンツプロバイダ１０５は、物理的デバイスプラットフォーム及びネットワークにわたって同時に作動するように構成することができる。例えば、コンテンツは、ケーブルテレビジョンシステムにわたってセットトップボックス（ＳＴＢ）に、ＩＳＰネットワーク上で標準的なネットワーク通信プロトコル（例えば、イーサネット又はＷｉ−Ｆｉ）を使用して移動コンピュータデバイスに、及び標準的な通信プロトコル（例えば、第３世代（３Ｇ）、第４の世代（４Ｇ）、長期進化（ＬＴＥ）など）にわたってスマートフォンデバイスに配信することができる。
【００１６】
視聴者１１５は、以下に限定されるものではないが、ＳＴＢ、テレビジョン、パーソナルコンピュータ（ＰＣ）、ラップトップコンピュータ、移動コンピュータデバイス、スマートフォン、タブレットコンピュータデバイスなどを含む様々なデバイスを通してメディアネットワーク１００からメディアコンテンツを受信することができる複数の家庭１２０を含むことができる。複数の家庭１２０が図１に示されているが、図を単純化するために１つだけにラベル付けされている。視聴者１１５は、様々なセグメント化ファクタに基づいてセグメント１２５ａ−１２５ｎに分割することができる。セグメント化ファクタの非制限的な例は、年齢、性別、職業、家屋所有の年数、世帯の大きさ、収入、地理的位置、世帯人数、メディア消費習慣、及びその組合せを含む。例えば、視聴者セグメントは、５０，０００ドルよりも上の年収を有する年齢２５から３５の間の男性を含むことができる。
【００１７】
一部の実施形態によって、視聴者は、家庭アドレス可能にすることができ、それによってメディアコンテンツプロバイダ１０５及び／又はローカルコンテンツシステム１１０ａ−１１０ｎは、特定のコンテンツを視聴者１１５の各家庭１２０及び／又はセグメント１２５ａ−１２５ｎに直接向けることができる。一部の実施形態によって、コンテンツは、一般的に受信者によって受信及び消費することができるデータのいずれのタイプを含むことができる。コンテンツの例示的かつ非制限的な例は、広告、娯楽プログラム、情報プログラム、メッセージ、ビデオ、オーディオ、グラフィック、及び／又はアニメコンテンツを含む。
【００１８】
メディアネットワーク１０５は、広告又はテレビ番組のような特定のメディアコンテンツをある一定のセグメント１２５ａ−１２５ｎだけに向けることができる。従って、メディアネットワークのオペレータは、視聴者全体１１５か又は視聴者のセグメント１２５ａ−１２５ｎだけを広告主、番組制作者などのようなコンテンツプロバイダに販売することができる。
【００１９】
家庭アドレス可能技術は、コンテンツプロバイダが、特定のネットワーク、時間帯、プログラミングなどにおける商品を単純に購入するのとは対照的に視聴者を購入することを可能にする。視聴者全体１１５のセグメント１２５ａ−１２５ｎを購入する機能は、メディアコンテンツプロバイダ１０５のような商品販売者に問題を呈する。例えば、メディアコンテンツプロバイダ１０５は、視聴者全体１１５に基づいて、又は個々のセグメント１２５ａ−１２５ｎ及び販売されていないか又は十分に利用されていない商品として視聴者の一部分を有する危険性に基づいて、広告主のようなコンテンツプロバイダに販売することがより経済的であるか否かを決定するように要求される場合がある。従って、実施形態は、取りわけ、視聴者全体１１５又はそのセグメント１２５ａ−１２５ｎを販売することが経済的であるか否か、及びセグメントが販売される場合にセグメントを販売するための最適価格設定を決定するためのシステム及び方法を提供する。
【００２０】
図２は、一部の実施形態による例示的なトランザクション最適化システムを示している。図２に示すように、本発明のシステムは、メディアネットワーク視聴者の販売を表すように構成されたモデル２１０を含むことができる。一部の実施形態において、モデル２１０は、以下に限定されるものではないが、過去のトランザクション情報２１５、潜在的トランザクション情報２２０、及び視聴者２２５を含む様々な入力構成要素を使用して発生させることができる。過去のトランザクション情報２１５は、価格設定、視聴者情報、供給及び要求情報、日付及び時間情報、メディアコンテンツ情報、プログラミング情報などを含む過去のトランザクションに関わる情報を含むことができる。メディアコンテンツ情報は、広告のタイプ、広告のターゲット（例えば、ターゲット視聴者セグメント）などを含む広告に関する情報のような販売にかかわるメディアコンテンツに関する情報を含むことができる。潜在的トランザクション情報２２０は、例えば、計画された市場条件に対する模擬の値を有し、過去のトランザクション情報２１５に類似の情報タイプを含むことができる。例えば、潜在的トランザクション情報２２０は、視聴者に対する計画された供給及び要求情報を含むことができる。潜在的トランザクション情報２２０は、特定のメディアコンテンツに対して及び／又は指定された条件下（例えば、供給及び要求条件）で潜在的購入者に視聴者を販売する（例えば、視聴者全体を販売し、特定の価格設定で視聴者のセグメントを販売する）ための戦略のような戦略情報を含むことができる。視聴者２２５は、視聴者の個々のセグメントを含む模擬のトランザクションの一部として販売することができるメディアネットワーク視聴者を含むことができる。
【００２１】
シミュレーション２０５構成要素は、モデル２１０及び入力構成要素２１５−２２５に基づいてメディアネットワーク視聴者及び／又はそのセグメントの販売を模擬するように構成することができる。図２は、過去のトランザクション情報２１５、潜在的トランザクション情報２２０、及び視聴者２２５入力構成要素を示しているが、実施形態は、これに制限されない。例えば、メディアネットワーク視聴者及び／又はそのセグメントの販売を模擬するための情報を提供することができるいずれの入力構成要素も本明細書で考慮される。一部の実施形態において、シミュレーション構成要素２０５は、図４に示す内部ハードウエアを含む論理デバイスのような論理デバイスで実行するように構成されたシミュレーションアプリケーションとして構成することができる。このような実施形態において、モデル２１０は、シミュレーション構成要素のモジュールとして又はシミュレーションアプリケーションと作動可能に通信することができる論理デバイスで実行されるように構成されたモデルアプリケーションとして構成することができる。
【００２２】
一部の実施形態によって、入力構成要素２１５−２２５は、流動的とすることができ、それによってそれに関連付けられた値をシミュレーション中に修正、変動、又は他に変化させることができる。従って、シミュレーション２０５は、動的な現実世界の条件をモデル化するように構成することができる。一部の実施形態において、入力構成要素２１５−２２５は、例えば、メディアネットワーク内のトランザクション活動に基づいてリアルタイム又は実質的にリアルタイムで発生させることができる。入力構成要素２１５−２２５に関連付けられた情報は、シミュレーションアプリケーションを実行する１つ又はそれよりも多くの論理デバイスと作動可能に通信することができる１つ又はそれよりも多くのデータストアに格納することができる。メディアネットワークの作動によって発生された情報、メディアネットワークオペレータによって発生された情報（例えば、計画された情報）、第三者情報、又は１つ又はそれよりも多くのデータストアに格納された情報のいずれの他のソースも、シミュレーションアプリケーションによって実質的にリアルタイムでアクセス可能である。従って、シミュレーション２０５構成要素、モデル２１０、及び／又は入力構成要素２１５−２２５は、リアルタイムの条件及び／又は異なる戦略のシミュレーションを反映するように更新、修正、又は他に変化させることができる。
【００２３】
シミュレーション２０５構成要素及び／又はモデル２１０は、様々なシミュレーション技術に従って構成することができる。一部の実施形態において、シミュレーション構成要素２０５は、エージェントベースの計算経済学（ＡＣＥ）モデリングに従って構成することができる。一般的に、ＡＣＥは、完全な合理性及び／又は情報を有することができない対話するエージェントの動的システムとしてモデル化された経済学処理のコンピュータ研究を示している。ＡＣＥは、例えば、異なる市場条件下の最良市場戦略を決定するために、変化する挙動を有する模擬エージェントを使用するように構成することができる。例えば、モデル２１０によって指定された初期条件から始めて、計算経済学は、その構成エージェントが互いに繰返し対話してこれらの対話から学習する場合に時間と共に進化することができる。
【００２４】
実施形態において、ＡＣＥモデル内のエージェントは、視聴者２１５及び／又はそのセグメントをモデル化するように構成することができる。別の実施形態において、エージェントは、過去の供給、要求、トランザクション価格などのような様々な条件に基づいてモデル化することができる。更に別の実施形態において、エージェントは、購入者（例えば、広告主及び他のコンテンツプロバイダ）及び販売者（例えば、メディアネットワークオペレータ）としてモデル化することができる。ＡＣＥモデル２１０は、経済の初期状態、例えば、エージェントの初期属性を指定することによって図１に示すメディアネットワーク１１０を指定するように構成することができる。エージェントの初期属性は、タイプ特徴、挙動規範、挙動のモード、及びそれ自体及び他のエージェントに関する情報を含むことができる。一部の実施形態において、エージェントは、入力構成要素２１５−２２５から得られる情報を使用して構成することができる。経済学は、モデル２１０を使用するシミュレーション２０５が、取りわけ視聴者２１５及びそのセグメントの計画された販売を含む潜在的販売情報２３０を発生するように機能する場合に進化することができる。
【００２５】
一部の実施形態によって、シミュレーション２０５及びモデル２１０は、過去のトランザクション情報２１５及び潜在的トランザクション情報２２０を使用して構成することができ、変化する供給及び要求のような変化する条件下の最適戦略を評価することができる。シミュレーション２０５は、様々な条件及び状況を推定するように構成することができる。例えば、シミュレーション２０５は、過去の視聴者全体トランザクションをどのようにセグメント化することができるかを推定するように構成することができる。別の例では、シミュレーション２０５は、新しい要求、供給、及び／又はメディアコンテンツを視聴者全体２１５及び／又はそのセグメントに販売するための価格設定条件のような新しい条件をトランザクション環境に導入するように構成することができる。
【００２６】
シミュレーション２０５は、購入者（例えば、広告主及び他のコンテンツプロバイダ）と販売者（例えば、メディアネットワークオペレータ）の間の動的対話を模擬して視聴者の販売が異なる販売戦略に応答することができる方法を提供するように構成された潜在的販売情報２３０を提供するように構成することができる。例えば、シミュレーション２０５は、１つ又はそれよりも多くの他のセグメントが販売された時に残りのセグメントを販売する可能性を示す潜在的販売情報２３０を提供するように構成することができる。一部の実施形態において、潜在的販売情報２３０を使用して、最適トランザクション戦略のような戦略２３５を発生させることができる。
【００２７】
一部の実施形態によって、戦略２３５は、視聴者全体を販売することが最適か又は視聴者のセグメントを販売することが最適化か否かを示す情報を含むことができる。戦略２３５は、セグメントベースのトランザクション戦略が実施される場合にセグメントの価格設定を示す情報を含むことができる。戦略２３５は、１組のある一定の条件下で特定のメディアコンテンツに対して視聴者及び／又はそのセグメントを販売するための最適解決法を提供するように構成することができる。例えば、潜在的販売情報２３０は、残りのセグメントの販売の可能性に基づいてセグメント価格設定を示すことができる。別の例では、潜在的販売情報２３０は、視聴者全体を販売し、セグメントによって視聴者を分割しないことが経済的であることを示すことができる。従って、シミュレーション２０５は、メディアコンテンツネットワークに存在する高度に動的で複雑な条件下の最適トランザクション戦略２３５及びその視聴者を決定するように構成することができる。シミュレーション２０５は、全ての商品が販売されることを保証しながら１つ又はそれよりも多くのトランザクション値を最大にするために購入する視聴者の異なるタイプ（例えば、視聴者全体又は視聴者セグメント）に対する要求を満たすことを最良の方法が解決することができるように構成された戦略２３５をシミュレーションが発生する場合のメディアネットワーク「ピック−アンド−パック」問題に対する解決法を提供することができる。
【００２８】
図３は、一部の実施形態による家庭アドレス可能メディアネットワーク内のトランザクションを最適化する例示的な方法の流れ図を示している。図３に示すように、シミュレーションアプリケーションは、メディアネットワークに対する過去のトランザクション情報を受信するように３０５構成することができる。例えば、過去のトランザクション情報は、供給、要求、価格設定、メディアコンテンツ、視聴者、及び／又は視聴者セグメントに関連付けられた情報を含むことができる。一部の実施形態によって、過去のトランザクション情報は、特定の視聴者に対するメディアネットワーク上の過去のトランザクションに関連付けられた情報を提供することができる。特定の条件（例えば、供給、要求、価格設定、曜日及び時間、プログラミングなど）下のある一定のメディアコンテンツ（例えば、広告）に対する特定の視聴者及び／又は視聴者セグメントに対するトランザクションが過去にどのように発生したかに対する基礎として過去のトランザクション情報をシミュレーションアプリケーションによって使用することができる。
【００２９】
シミュレーションアプリケーションは、潜在的トランザクション情報を受信するように３１０構成することができる。例えば、潜在的トランザクション情報は、特定のメディアネットワークに対する供給、要求、価格設定、メディアコンテンツ、視聴者、及び／又は視聴者セグメントに対する計画された情報を含むことができる。一部の実施形態によって、潜在的トランザクション情報は、ある一定のトランザクション値に関する予想を発生するために計画された条件下の視聴者及び／又は視聴者セグメントの販売を模擬するように構成することができる。一部の実施形態において、トランザクション値は、収益、収入収益、利益、総売上高などを含むトランザクションの評価を示すように構成されたいずれの値も含むことができる。
【００３０】
視聴者情報は、セグメントに分割されたメディアネットワーク視聴者に関連付けられたシミュレーションアプリケーションによって受信することができる３１５。例えば、視聴者情報は、人口統計、給与、教育、雇用、及び購入関心情報のような視聴者を作り上げる家庭を示す情報を含むことができる。視聴者情報は、視聴者セグメントの数、タイプ、及び／又は位置、並びに家庭を特定のセグメント（例えば、年齢、性別など）に配置するための基礎を含むことができる。シミュレーションアプリケーションは、トランザクション及び／又は潜在的トランザクションの対象であるメディアコンテンツに関連付けられたメディアコンテンツ情報（例えば、広告、広告キャンペーン、プログラム、メッセージなど）を受信することができる３２０。例えば、メディアコンテンツ情報は、メディアコンテンツの実体及び／又は内容、ターゲット視聴者、ターゲット人口統計、利用可能なメディアコンテンツを作るための曜日及び／又は時間などを含むことができる。メディアコンテンツ情報は、取りわけ、トランザクションの対象であるメディアコンテンツ提供物を比較目的で比較するために使用することができる。従って、シミュレーションは、同一でないメディアコンテンツに対して実行することができる。
【００３１】
過去のトランザクション情報に基づいて視聴者を販売するためのモデルは、例えば、シミュレーションアプリケーションによって又はモデルアプリケーションを通じて発生させることができる３２５。モデルは、メディアコンテンツ及び特定の視聴者及び／又は視聴者セグメントに関わるトランザクションを表すように構成することができる。モデルは、ＡＣＥシミュレーションのような様々なシミュレーションに従うように発生させることができる３２５。
【００３２】
潜在的トランザクション情報は、モデルと、過去のトランザクション情報、潜在的トランザクション情報、広告情報、及び／又は視聴者情報のような様々な情報源とを使用することにより、シミュレーションアプリケーションによって発生させることができる３３０。潜在的トランザクション情報は、シミュレーションアプリケーション及びそれによって受信された情報を使用して視聴者の模擬販売を通して発生させることができる３３０。一部の実施形態において、シミュレーションアプリケーションは、ＡＣＥシミュレーション構成を使用して潜在的トランザクション情報を発生するように３３０構成することができる。潜在的トランザクション情報は、ある一定の条件下のメディアコンテンツに対する視聴者及び／又は特定の視聴者セグメントの１つ又はそれよりも多くのトランザクションの結果を示すことができる情報を含むことができる。潜在的トランザクション情報を使用して、メディアコンテンツに対する視聴者及び／又はセグメントを販売するための最適化トランザクション戦略を発生させることができる３３５。例えば、最適化トランザクション戦略は、１つ又はそれよりも多くのセグメントが個々に販売された場合に、収入収益のようなある一定のトランザクション値を最適化することができることを指定することができる。別の例では、最適化トランザクション戦略は、全体としての視聴者がメディアコンテンツプロバイダに販売された場合に、ある一定のトランザクション値を最適化することができることを指定することができる。このようにして、メディアネットワークオペレータは、メディアネットワークに対するトランザクション決定を実行する時に潜在的トランザクション情報及び／又は最適化トランザクション戦略に基づいて詳細な情報を得た上での決定を実行することができる。
【００３３】
図４は、上述の様々なコンピュータ処理及びシステムを収容する又は実施するために使用することができる例示的内部ハードウエアのブロック図を示している。バス４００は、ハードウエアの他の例示する構成要素を相互接続する主情報ハイウエイとして機能する。ＣＰＵ４０５は、プログラムを実行するのに必要な計算及び論理演算を実行する本発明のシステムの中央処理ユニットである。ＣＰＵ４０５は、単独で又は図４に開示した他の要素の１つ又はそれよりも多くと共に、本発明の開示に使用される用語を用いると例示的な処理デバイス、コンピュータデバイス、又はプロセッサである。読取専用メモリ（ＲＯＭ）４３０及びランダムアクセスメモリ（ＲＡＭ）４３５は、例示的メモリデバイスを構成する。
【００３４】
コントローラ４２０は、１つ又はそれよりも多くの任意的なメモリデバイス４２５をシステムバス４００に接続する。これらのメモリデバイス４２５は、例えば、外部又は内部ＤＶＤドライブ、ＣＤ  ＲＯＭドライブ、ハードドライブ、フラッシュメモリ、ＵＳＢドライブなどを含むことができる。上述のように、これらの様々なドライブ及びコントローラは、任意的なデバイスである。これに加えて、メモリデバイス４２５は、いずれのソフトウエアモジュール又は命令も格納するための個々のファイル、予備データ、結果の群又は予備データを格納するための共通ファイル、又は結果情報、予備データ、及び上述したような関連の情報を格納するための１つ又はそれよりも多くのデータベースを含むように構成することができる。例えば、メモリデバイス４２５は、判断情報ソース３１５を格納するように構成することができる。
【００３５】
上述したような判断決定実行の分析に関連付けられた機能的段階のいずれかを実行するためのプログラム命令、ソフトウエア、又は対話型モジュールをＲＯＭ４３０及び／又はＲＡＭ４３５に格納することができる。任意的に、プログラム命令は、コンパクトディスク、デジタルディスク、フラッシュメモリ、メモリカード、ＵＳＢドライブ、Ｂｌｕ−ｒａｙ（登録商標）ディスクのような光学ディスクストレージ媒体、及び／又は他の記録媒体のような有形コンピュータ可読媒体に格納することができる。
【００３６】
任意的ディスプレイインタフェース４３０は、バス４００からの情報を音声、視覚、グラフィック、又は英数字フォーマットでディスプレイ４３５上に表示することができる。情報は、現在のジョブチケット及び関連のタスクに関する情報を含むことができる。外部デバイスとの通信は、様々な通信ポート４４０を使用して実行することができる。例示的な通信ポート４４０は、インターネット又はローカルエリアネットワークのような通信ネットワークに取り付けることができる。
【００３７】
ハードウエアはまた、キーボード４５０のような入力デバイス、又はマウス、ジョイスティック、タッチスクリーン、リモートコントロール、ポインティングデバイス、ビデオ入力デバイス、及び／又はオーディオ入力デバイスのような他の入力デバイス４５５からのデータの受信を可能にするインタフェース４４５を含むことができる。
【００３８】
様々な上記に開示した及び他の特徴及び機能又はその代替物は、多くの他の異なるシステム又はアプリケーション内に望ましく結合することができることは認められるであろう。本明細書において様々な現在予想されないか又は予期されない代替、修正、変形、又は改良は、当業者によって今後行われると考えられ、そのような代替、変形、及び改良も同じく以下の特許請求の範囲によって含まれるように意図していることも認められるであろう。
【符号の説明】
【００３９】
１００  メディアネットワーク
１０５  メディアコンテンツプロバイダ
１１０ａ、１００ｎ  ローカルコンテンツシステム
１１５  視聴者
１２０  家庭
【図１】
0006258308.tif 000002
【図２】
0006258308.tif 000003
【図３】
0006258308.tif 000004
【図４】
0006258308.tif 000005